(57)【要約】 【課題】  荷物を容易に収納でき、乗客にとっての身体的負荷を軽減することのできる航空機を提供することを目的とする。【解決手段】  座席２０の下方の床１２に凹部４０を形成し、この凹部４０に、箱状の荷物１００を、その最大長さを有する辺ａを縦にした状態で入れたとき、座席２０の座面２２の下方に荷物１００が完全に収まる構成とした。また、この凹部４０には、荷物１００を２個並べて入れられるような寸法に設定することもできる。このとき、必要に応じ、凹部４０に対し荷物１００を出し入れできるよう、座面２２を跳ね上げ可能とするのが好ましい。【選択図】図１
2005239028.tif 000002
【特許請求の範囲】
【請求項１】
機体内の床上に前後に間隔を隔てて複数設けられた座席と、
前記座席の下方に形成された、前記座席と前記床の隙間よりも大きな寸法を有した略箱状の荷物を収容できる荷物収容部と、を備え、
前記荷物収容部は、前記座席の下方の前記床に凹部が形成され、前記凹部に、前記荷物の寸法が最も長い方向を前記床に直交させた状態で、前記荷物の下部が収められるようになっており、
前記座席は、前記荷物収容部に前記荷物を出し入れするため、座面が上方に跳ね上げ可能となっていることを特徴とする航空機。
【請求項２】
前記座席の下方にて、前記凹部の後方側に、前記座席と前記床の隙間を防ぐ仕切り部材が配設されていることを特徴とする請求項１に記載の航空機。
【請求項３】
互いに隣接する２以上の前記座席の下方に形成された前記凹部は、前記機体の内壁面に干渉しないよう、前記機体の中央側にオフセットして形成されていることを特徴とする請求項１または２に記載の航空機。
【請求項４】
前記荷物収容部は、前記荷物の寸法が最も短い方向を、前記機体の前後方向に位置させた状態で、前記荷物を前記凹部に収めることを特徴とする請求項１から３のいずれかに記載の航空機。
【請求項５】
前記荷物収容部は、前記荷物の寸法が最も短い方向を、前記機体の幅方向に位置させた状態で、前記荷物を前記凹部に収めることを特徴とする請求項１から３のいずれかに記載の航空機。
【請求項６】
機体内の床上に前後に間隔を隔てて複数設けられた座席と、
前記座席の下方に形成された、略箱状の荷物を収容できる荷物収容部と、を備え、
前記荷物収容部は、前記床に凹部が形成され、前記荷物を収容できる収容ケースが、前記収容ケースに対し前記荷物を出し入れできる位置と、前記収容ケースが前記凹部内に収められる位置との間で移動可能に設けられ、前記収容ケースが前記凹部内に収められた位置では、前記収容ケース上と前記座席の隙間に他の前記荷物を搭載できることを特徴とする航空機。
【請求項７】
前記収容ケースは、前記凹部内で昇降可能に設けられていることを特徴とする請求項６に記載の航空機。
【請求項８】
前記収容ケースは、前記凹部内で、その一端側を中心として、前記収容ケースに前記荷物を出し入れするための開口部側が揺動可能に設けられていることを特徴とする請求項６に記載の航空機。
【請求項９】
機体内の床上に前後に間隔を隔てて複数設けられた座席と、
前記座席の下方に形成された、前記座席と前記床の隙間よりも大きな寸法を有した略箱状の荷物を収容できる荷物収容部と、を備え、
前記荷物収容部は、前記座席の下方に、前記座席と前記床の間を前後に仕切る仕切り部材が設けられ、前記仕切り部材の前方に前記座席の乗客の荷物が収容され、前記仕切り部材の後方に後列の座席の乗客の荷物が収容されることを特徴とする航空機。
【発明の詳細な説明】
【技術分野】
【０００１】
本発明は、複数の座席を備えた航空機に関する。
【背景技術】
【０００２】
旅客用の航空機では、図６に示すように、乗客の手荷物は、機体１内の通路２の両側において、座席３の上方に設けられた扉付の荷棚４に収納するようになっている。
【発明の開示】
【発明が解決しようとする課題】
【０００３】
しかしながら、重い手荷物を持ち上げ、上方の荷棚４に収納するのは、乗客にとって身体的負荷が高い。また、荷棚４に手荷物を出し入れする際には、その乗客が通路２に立った状態となるため、通路２を塞ぎ、乗客の航空機への乗降が滞る原因ともなっている。
【０００４】
これに対し、例えば自動車等においては、座席の下方に物入れを設けたり、座面を持ち上げることでその下方に荷物が収容できたり、床下に収納ボックスを設ける等、様々な工夫がなされている（例えば、特許文献１〜３参照。）。しかし、これらは、いずれも小物類を収納することを想定したものである。
【０００５】
【特許文献１】特開２０００−３３３７７８号公報（図１）
【特許文献２】特開２００２−１９１４６６号公報（図１）
【特許文献３】実開昭５７−５９１４０号公報（第１図）
【０００６】
旅客用の航空機の場合、三辺合計で最大１１５ｃｍまでの大きさの手荷物の機内持ち込みが認められている。近年、これに対応し、厚さ９〜１１インチ（約２２９〜２８０ｍｍ）、高さ２２インチ（約５５９ｍｍ）程度の大きさのラゲッジバッグが多く用いられている。このような大きさのラゲッジバッグは、特許文献１〜３に示されるような収納スペースに対して大きい。このため、特許文献１〜３に示されるような構成を航空機にそのまま適用しても、大きなラゲッジバッグを収納することは実質的に不可能である。
【０００７】
このように、特に、大きな手荷物が持ち込まれることの多い航空機の場合、図６に示したような荷棚４以外に、荷物収納スペースを確保するのが困難であるのが実情である。その結果、荷棚４に手荷物を収納することに起因する、乗客にとって身体的負荷が高い、乗客の航空機への乗降が滞るといった問題を解決するのは非常に難しい。
本発明は、このような技術的課題に基づいてなされたもので、荷物を容易に収納でき、乗客にとっての身体的負荷を軽減することのできる航空機を提供することを目的とする。
【課題を解決するための手段】
【０００８】
かかる目的のもと、本発明の航空機は、機体内の床上に前後に間隔を隔てて複数設けられた座席と、座席の下方に形成された、座席と床の隙間よりも大きな寸法を有した略箱状の荷物を収容できる荷物収容部と、を備えたものである。そして、荷物収容部は、座席の下方の床に凹部が形成され、凹部に、荷物の寸法が最も長い方向を床に直交させた状態で、荷物の下部が収められるようになっており、さらに座席は、荷物収容部に荷物を出し入れするため、座面が上方に跳ね上げ可能となっていることを特徴とする。
このようにすれば、座席と床の隙間よりも大きな寸法を有した略箱状の荷物であっても、荷物の寸法が最も長い方向を床に直交させた状態で、その下部を凹部に収めることで、座席の下方に収納することができる。
この場合、荷物収容部は、荷物の寸法が最も短い方向を、機体の前後方向に位置させた状態で荷物を凹部に収めることもできるし、荷物の寸法が最も短い方向を、機体の幅方向に位置させた状態で荷物を凹部に収めることもできる。
また、座席の下方にて、凹部の後方側に、座席と床の隙間を防ぐ仕切り部材を配設しても良い。
航空機の機体は、断面が円形、楕円形、二次曲線状等とされ、下方に行くにしたがい機体幅が小さくなる。したがって、互いに隣接する２以上の座席の下方に形成された凹部は、機体の内壁面に干渉しないよう、機体の中央側にオフセットして形成するのが好ましい。
【０００９】
また、本発明は、機体内の床上に前後に間隔を隔てて複数設けられた座席と、座席の下方に形成された、略箱状の荷物を収容できる荷物収容部と、を備え、荷物収容部は、床に凹部が形成され、荷物を収容できる収容ケースが、収容ケースに対し荷物を出し入れできる位置と、収容ケースが凹部内に収められる位置との間で移動可能に設けられ、収容ケースが凹部内に収められた位置では、収容ケース上と座席の隙間に他の荷物を搭載できることを特徴とする航空機として捉えることもできる。
この場合、収容ケースは、凹部内で昇降可能に設けることができる。また、収容ケースは、凹部内で、その一端側を中心として、収容ケースに荷物を出し入れするための開口部側を揺動可能に設けても良い。
【００１０】
本発明は、機体内の床上に前後に間隔を隔てて複数設けられた座席と、座席の下方に形成された、座席と床の隙間よりも大きな寸法を有した略箱状の荷物を収容できる荷物収容部と、を備え、荷物収容部は、座席の下方に、座席と床の間を前後に仕切る仕切り部材が設けられ、仕切り部材の前方に座席の乗客の荷物が収容され、仕切り部材の後方に後列の座席の乗客の荷物が収容されることを特徴とする航空機として捉えることもできる。
【発明の効果】
【００１１】
本発明によれば、座席の下方の空間を荷物収容部として利用することが可能となる。このように、座席の下方に荷物を収納するので、乗客にとっての身体的負荷が大幅に軽減され、また、少なくとも通路に面した座席以外は、通路を塞ぐことなく荷物の収納作業が行えるために、乗客の航空機への乗降をスムーズにすることができる。さらに、荷棚を廃止することも可能となり、そのようにすれば、圧迫感がなくなるので、乗客にとっての快適性が大幅に向上する。そして、これらの効果を得ることで、機体の外径を最小限に抑えることが可能となるので、機体の空気抵抗を抑制し、経済性に優れる航空機を実現することができる。
【発明を実施するための最良の形態】
【００１２】
以下、添付図面に示す実施の形態に基づいてこの発明を詳細に説明する。
図１は、本実施の形態における航空機の構成を説明するための図である。
図１に示すように、本実施の形態における航空機１０は、通常と同様、機体１１内に、座席２０が、前後に複数列並んで配置されている。
【００１３】
座席２０は、機体１１内の所定レベルに設けられた床１２上に、ベース部材等（図示無し）を介し取り付けられている。座席２０は、座面２２に対し、背もたれ２３が、座面２２後端部に設けられたリンクを介し、リクライニング可能となっている。ここで、座席２０は、通路１３の片側に、例えば２席が隣接して設けられている。
このような座席２０において、前列の座席２０の座面２２と床１２との間の空間は、座席２０を利用する乗客（人員）の手荷物を収容する荷物収容スペース（荷物収容部）３０となっている。
【００１４】
この荷物収容スペース３０には、各列の座席２０の下方の床１２に、凹部４０が形成されている。この凹部４０は、所定の大きさ（例えば三辺ａ，ｂ，ｃが、最も長い辺ａ＝２４インチ（約６１０ｍｍ）、二番目に長い辺ｂ=１６インチ（約４０６ｍｍ）、最も短い辺ｃ＝１０インチ（２５４ｍｍ）を有した箱状の荷物１００を、その最大長さを有する辺ａを縦にした状態（床１２に直交させた状態）で凹部４０に入れたとき、座席２０の座面２２の下方に荷物１００が完全に収まるような深さｄを有する。したがって、座面２２の下面と床１２との間隔をｈとすると、
ｄ＞ａ−ｈ
とする。
また、凹部４０の幅ｗは、所定の大きさの荷物１００を２個、辺ａを縦にし、最も短い辺ｃを前後方向に向けた状態で凹部４０に並べて入れられるような寸法に設定する。つまり、
ｗ＞２ｂ
とする。
このとき、凹部４０が、床１２より下方のレベルにおいて、機体１１の内壁面に干渉しないよう、凹部４０は、通路１３側にオフセットして形成するのが好ましい。
【００１５】
これにより、荷物収容スペース３０には、荷物１００を２個、並べた状態で凹部４０に収納できる。また、凹部４０には、１個の荷物１００を、辺ｂを縦にした状態で収めることもできる（図１中、二点鎖線参照）。
【００１６】
このような凹部４０には、荷物１００が、略鉛直状態に収納されることになり、しかもその上方には座面２２が覆いかぶさるように位置している。このため、荷物１００を上方に出し入れするため、座面２２を跳ね上げる構成が必要である。これには例えば、図１に示したように、座面２２を、その後端部２２ａを中心として回転させることで跳ね上げる構造が採用できる。
【００１７】
凹部４０の後方には、座面２２と床１２との隙間を塞ぐ塞ぎ板４１が設けられている。これにより、乗客は、自らが着席する座席２０の下方に形成された凹部４０に、荷物１００を収納する。そのとき、後列の座席は、塞ぎ板４１により、塞ぎ板４１より後方の座席２０の下方の空間が確保できるので、ここに足を延ばし、リラックスした体勢をとることができる。また、塞ぎ板４１を設けることにより、凹部４０に収納された荷物１００に足が接触することを防止でき、さらには凹部４０に荷物１００が収納されていないときに不用意に乗客の足が凹部４０に入り込むことを防止できる。
【００１８】
以下に、荷物収容スペース３０の他の複数の例を示す。
図２に示す例では、各列の座席２０の下方の床１２に、凹部５０が形成されている。この凹部５０は、荷物１００を、その最大長さを有する辺ａを縦にした状態で凹部５０に入れたとき、座席２０の座面２２の下方に荷物１００が完全に収まるような深さｄを有する。したがって、座面２２の下面と床１２との間隔をｈとすると、ｄ＞ａ−ｈとする。
また、凹部５０の幅ｗは、所定の大きさの荷物１００を２個、辺ａを縦にし、最も短い辺ｃを機体１１の幅方向に位置させた状態で凹部５０に並べて入れられるような寸法に設定する。つまり、ｗ＞２ｃとする。
このとき、凹部５０が、床１２より下方のレベルにおいて機体１１の内壁面に干渉しないよう、必要に応じ、凹部５０は、通路１３側にオフセットして形成するのが好ましい。
【００１９】
これによっても、荷物収容スペース３０には、荷物１００を２個、並べた状態で凹部５０に収納できる。この場合、荷物収容スペース３０に荷物１００を収容しても、その両側に空間が形成されるので、後列の座席２０に着席した乗客は、荷物１００の側方に形成される空間に足を延ばし、リラックスした体勢をとることが可能である。
また、凹部５０には、１個の荷物１００を、辺ａを縦にし、最も短い辺ｃを前後方向に向けた状態で収めることもできる。
【００２０】
このような凹部５０には、荷物１００が、略鉛直状態に収納されることになり、しかもその上方には座面２２が覆いかぶさるように位置している。このため、荷物１００を上方に出し入れするため、座面２２を跳ね上げる構成が必要である。これには例えば、図２に示したように、座面２２を、その後端部２２ａを中心として回転させることで跳ね上げる構造が採用できる。
また、図３に示すように、座面２２の幅方向中間部２２ｂにおいて、座面２２を側方に折り畳み可能とし、互いに隣接する二つの座席２０、２０の座面２２、２２を、その両側に跳ね上げるようにしても良い。
【００２１】
図４（ａ）、（ｂ）に示す例では、各列の座席２０の下方の床１２に、凹部６０が形成されている。この凹部６０には、荷物１００を、その最も短い辺ｃを縦方向に位置させた状態、つまり荷物１００を横置きにした状態で収容できるケース（収容ケース）６１が、上下方向に昇降可能に設けられている。ケース６１を凹部６０内で昇降させるには、例えば、その両側にＸ状のアーム（図示無し）を備え、このアームを、ワイヤーやレバー等を介して手動で操作したり、あるいはモータ等により電動で作動させたりすればよい。
ケース６１は、荷物１００を、その最も短い辺ｃを縦にし、最も長い辺ａを機体１１の幅方向にした状態で収められるような内部寸法を有し、後方側に開口部６１ａを有する。また、このケース６１は、凹部６０内で最も下方位置まで下降させた状態で、そのケース６１と座面２２との隙間ｓが、荷物１００を横置きにして収納できるよう、その最も短い辺ｃの長さより大きくなるようにする（ｓ＞ｃ）。
【００２２】
これにより、座席２０の下方に、荷物１００を上下２段に収納できる。しかも、下段の荷物１００は、ケース６１に収容されるため、上段の荷物１００の荷重によって潰れることもない。さらに、荷物１００を１個のみ座席２０の下方の荷物収容スペース３０に収容する場合、これをケース６１に収容し、ケース６１を凹部６０に下降させてしまえば、座席２０に着席した乗客は足を延ばし、リラックスした体勢をとることもできる。
【００２３】
なお、ケース６１は、下降した状態で、その上面が床１２と略同レベルとなるまで下降させるようにしても良い。また、ケース６１を上下方向にそのまま上下させるのではなく、例えば図４（ｃ）に示すように、前端部６１ｂ側を中心として後端部６１ｃ側を旋回させ、ケース６１を斜めにした状態で、ケース６１に対して荷物１００を出し入れすることもできる。
【００２４】
図５に示す例では、座席２０の座面２２の前後方向略中央部の位置に、座面２２と床１２との隙間を塞ぐ仕切り板（仕切り部材）７０を設ける。そして、この仕切り板７０の前方と後方に、それぞれ、荷物１００を、その最も長い辺ａを機体１１の幅方向に位置させ、最も短い辺ｃを前後方向に向けた状態で収納するのである。
このとき、座面２２と床１２との隙間ｔは、荷物１００の辺ｂの長さより大きくする（ｔ＞ｂ）必要があるが、例えば辺ｂの長さが１４インチ程度である場合、座面２２を現状以上に上げると、座面２２が高すぎることになるため、ここでは、座面２２の厚さｕを薄くするのが好ましい。
【００２５】
このようにして、座席２０の下方に設けられた仕切り板７０により、荷物収容スペース３０が前後に区分されるので、仕切り板７０の前方のスペースは、その列の座席２０に着席する乗客が荷物１００を収納し、仕切り板７０の後方のスペースには、後列の座席２０に着席する乗客が荷物１００を収納するようにする。つまり、同じ列の座席２０、２０に着席する乗客は、一方は自らが着席する座席２０の下方の荷物収容スペース３０に荷物１００を収容し、他方は前列の座席２０の下方の荷物収容スペース３０に荷物を収容する。
【００２６】
図１〜図５に示したような構成を採用することで、座席２０の下方を荷物収容スペース３０として用いることが可能となる。
その結果、荷物１００を持ち上げる必要がなくなり、乗客にとっての身体的負荷が大幅に軽減される。また、少なくとも通路に面した座席２０以外は、通路を塞ぐことなく荷物１００の収納作業が行える（隣の座席２０の位置に立てば荷物１００を荷物収容スペース３０に収納できる）ために、乗客の航空機１０への乗降をスムーズに行うことが可能となり、乗降に要する時間を短縮化することも期待できる。
【００２７】
なお、上記実施の形態では、従来通り荷棚８０を設ける構成としてもよい。その場合、軽い荷物、小型の荷物等は荷棚８０に収容し、重い荷物、大型の荷物は荷物収容スペース３０に収容するようにできる。したがって、荷棚８０を従来より小型化できる。さらに、荷棚８０を廃止することも可能となる。すると、機体１１内において、荷棚８０による圧迫感が減少、あるいは無くなり、乗客にとっての快適性が大幅に向上する。このようにして、機体１１の外径を従来以上に小さくすることも可能となり、機体１１の空気抵抗を抑制し、経済性に優れる航空機１０を実現することもできる。
これ以外にも、本発明の主旨を逸脱しない範囲であれば、構成の適宜の変更や追加、取捨選択を行うことは何ら問題ない。
【図面の簡単な説明】
【００２８】
【図１】本実施の形態における航空機の例であり、座席下に荷物を収容する第一の例を示す図である。
【図２】同、座席下に荷物を収容する第二の例を示す図である。
【図３】座面を跳ね上げる構造の例を示す図である。
【図４】座席下に荷物を収容する第三の例を示す図である。
【図５】座席下に荷物を収容する第四の例を示す図である。
【図６】従来の荷物収容のための荷棚を備えた航空機を示す図である。
【符号の説明】
【００２９】
１０…航空機、１１…機体、１２…床、１３…通路、２０…座席、２２…座面、３０…荷物収容スペース（荷物収容部）、４０…凹部、４１…塞ぎ板、５０…凹部、６０…凹部、６１…ケース（収容ケース）、６１ａ…開口部、７０…仕切り板（仕切り部材）、１００…荷物
【図１】
2005239028.tif 000003
【図２】
2005239028.tif 000004
【図３】
2005239028.tif 000005
【図４】
2005239028.tif 000006
【図５】
2005239028.tif 000007
【図６】
2005239028.tif 000008